(57)【特許請求の範囲】
【請求項１】
１つのチャンネルの中において１２セグメントで伝送される第１の番組と１セグメントで伝送される第２の番組とを含む地上デジタル放送信号を受信する受信手段と、
前記地上デジタル放送信号から前記１２セグメントで伝送される前記第１の番組の番組表情報を取得する手段と、
前記第１の番組と予約時点ではまだ番組表情報のない第２の番組の内、前記第１の番組のみを記録媒体に記録するか、或いは前記第１の番組および予約時点ではまだ番組表情報のない第２の番組の両方を記録媒体に記録するかを指定させる指定手段と、
前記第１の番組の番組表情報を使って前記第１の番組を記録予約させる予約手段と、
前記予約手段による記録予約に基いて前記第１の番組を記録媒体に記録させる際、前記指定手段による指定に応じて、前記第２の番組を前記記録媒体に記録させる記録制御手段と、
を具備したことを特徴とするデジタル放送受信装置。
【請求項２】
リムーバブルメディアを装着可能なインタフェース手段と、
前記記録媒体に記録した番組について、前記第１及び第２の番組のどちらを前記リムーバブルメディアにコピー又はムーブするかを指定する手段と、
をさらに具備したことを特徴とする請求項１に記載のデジタル放送受信装置。
【請求項３】
前記１２セグメントと前記１セグメントによる放送は、同じ番組を同じ時間帯に放送するサイマル放送であることを特徴とする請求項１又は２に記載のデジタル放送受信装置。
【請求項４】
１つのチャンネルの中において１２セグメントで伝送される第１の番組と１セグメントで伝送される第２の番組とを含む地上デジタル放送信号を受信する受信ステップと、
前記地上デジタル放送信号から前記１２セグメントで伝送される前記第１の番組の番組表情報を取得するステップと、
前記第１の番組と予約時点ではまだ番組表情報のない第２の番組の内、前記第１の番組のみを記録媒体に記録するか、或いは前記第１の番組および予約時点ではまだ番組表情報のない第２の番組の両方を記録媒体に記録するかを指定させる指定ステップと、
前記第１の番組の番組表情報を使って前記第１の番組を記録予約させる予約ステップと、
前記予約ステップにおける記録予約に基いて前記第１の番組を記録媒体に記録させる際、前記指定手段による指定に応じて、前記第２の番組を前記記録媒体に記録させるステップと、
を具備したことを特徴とするデジタル放送受信方法。
【発明の詳細な説明】
【技術分野】
【０００１】
本発明は、階層伝送される複数の階層を含むデジタル放送信号を受信装置本体内に同時に受信して記録することが可能なデジタル放送受信装置及びデジタル放送受信方法に関する。
【背景技術】
【０００２】
日本の地上デジタル放送方式は、地上波による統合デジタル放送（ISDB-Tと略記される）と呼ばれており、幾つかの特徴があるが、その特徴の１つに、１つのチャンネルの中で固定受信向けサービスと携帯・移動受信向けサービスが可能となるよう、セグメントごとに搬送波の変調方式や誤り訂正の強さを変えられる階層伝送がある。  
地上デジタル放送では、チャンネル帯域幅は６ＭＨｚで、この６ＭＨｚを１４分割し、その中の１３個（約５．６ＭＨｚ幅）を使用して放送する。１３個の周波数ブロックの１つ１つ（約４２９ｋＨｚ幅）をセグメントと呼んでいる。
【０００３】
固定受信向けサービスと携帯・移動受信向けサービスに関しては、具体的には、放送番組が放送チャンネルの中に固定受信向けの１２セグメント（以下、１２セグと略記する）とモバイル向けの１セグメント（以下、１セグと略記する）に分けて伝送されている。  
当面は、１２セグと１セグで同一の番組を提供するサイマル放送が実施される見込みとなっている。１２セグによる放送は、広帯域で高精細な映像及び音声を提供する高精細放送（ＨＤＴＶ）が可能であるが、ノイズの影響を受けやく弱階層の放送とも呼ばれる。１セグによる放送は、狭帯域で電波の変動に強い方式で変調されたモバイル放送を可能とし、ノイズの影響を受けにくく強階層の放送とも呼ばれる。
【０００４】
ところで、近年、放送番組のコピー制御について、受信装置本体内に一旦記録して、それをリムーバブルメディアにコピーする場合に、コピーワンジェネレーション(ＣＯＧ：Copy One Generation)の運用について回数の制限緩和が検討されていて、Ｎ回（Ｎは２以上であり、例えば９回）までのコピーが可能になる予定である。この場合、受信装置本体内でＣＯＧ番組のコピー回数の管理を行わなければならない。
【０００５】
また、１２セグ放送の録画では、番組表（ＥＰＧ）情報を用いて放送当日を含めて８日間分のＥＰＧ情報を利用した録画が可能となっているが、１セグ放送の録画では、８番組先のＥＰＧ情報しか利用することができず、翌日分の録画予約も不可能な場合が多く、翌々日分の録画予約にいたっては録画予約することは全く不可能であった。
【０００６】
一方、デジタル放送を受信し記録再生する装置として、デジタル放送のチャンネルに含まれる１２セグのコンテンツと１セグのコンテンツを同時に記録し、１セグのコンテンツ及びその管理情報を携帯端末にムーブ可能とする記録再生装置が開示されている（特許文献１参照）。
【先行技術文献】
【特許文献】
【０００７】
【特許文献１】特開２００７−２５１８０３号公報
【発明の概要】
【発明が解決しようとする課題】
【０００８】
しかしながら、特許文献１では、１２セグと１セグを同時に記録することはできるが、１２セグと１セグの一方を指定して記録することは行われていなかったし、また１セグの録画に関しては１２セグのＥＰＧ録画と同様な８日分に及ぶ録画予約を行うことは不可能であった。さらに、回数の制限緩和に伴うコピー回数の管理をどのように行うかについては、全く考えられていなかった。
【０００９】
そこで、本発明は上記の問題に鑑み、１２セグと１セグの一方を指定して受信装置本体に録画することが可能であり、１セグの録画に関して１２セグのＥＰＧ録画と同様な録画予約を行うことが可能であり、さらに回数の制限緩和に伴うコピー回数の管理を行うことが可能なデジタル放送受信装置及びデジタル放送受信方法を提供することを目的とするものである。
【課題を解決するための手段】
【００１０】
本発明の実施の形態に係るデジタル放送受信装置は、１つのチャンネルの中において１２セグメントで伝送される第１の番組と１セグメントで伝送される第２の番組とを含む地上デジタル放送信号を受信する受信手段と、前記地上デジタル放送信号から前記１２セグメントで伝送される前記第１の番組の番組表情報を取得する手段と、前記第１の番組と予約時点ではまだ番組表情報のない第２の番組の内、前記第１の番組のみを記録媒体に記録するか、或いは前記第１の番組および予約時点ではまだ番組表情報のない第２の番組の両方を記録媒体に記録するかを指定させる指定手段と、前記第１の番組の番組表情報を使って前記第１の番組を記録予約させる予約手段と、前記予約手段による記録予約に基いて前記第１の番組を記録媒体に記録させる際、前記指定手段による指定に応じて、前記第２の番組を前記記録媒体に記録させる記録制御手段と、を具備したものである。
【発明の効果】
【００１１】
本発明によれば、１２セグと１セグの一方を指定して受信装置本体に録画することが可能であり、１セグの録画に関して１２セグのＥＰＧ録画と同様な録画予約を行うことが可能であり、さらに回数の制限緩和に伴うコピー回数の管理を行うことが可能なデジタル放送受信装置及びデジタル放送受信方法を提供することが可能となる。
【図面の簡単な説明】
【００１２】
【図１】本発明の第１の実施形態のデジタル放送受信装置を示すブロック図。
【図２】録画ＥＰＧの例、及び１セグ録画指定の例を画面表示にて説明する説明図。
【図３】録画番組リスト一覧の例、及び１２セグ録画及び１セグ録画についてのコピー履歴のダイアログの例を画面表示にて説明する説明図。
【発明を実施するための形態】
【００１３】
発明の実施の形態について図面を参照して説明する。
【００１４】
［第１の実施形態］
図１は本発明の第１の実施形態のデジタル放送受信装置のブロック図を示している。ここでは、固定受信向けのデジタル放送受信装置について説明するが、携帯・移動受信向けのデジタル放送受信装置にも適用可能である。
【００１５】
図１において、デジタル放送受信装置１００は、デジタル放送信号を受信するアンテナ１０１と、受信手段であるチューナ部１０２と、復号部１０３と、暗号化部１０４と、記録媒体としてのハードディスク（ＨＤ）を駆動するハードディスクドライブ部（ＨＤＤと略記）１０５と、ＴＳ分離部１０６と、ビデオデコーダ１０７と、オーディオデコーダ１０８と、映像出力部１０９と、音声出力部１１０と、管理情報記憶部１１１と、ＩＣカードインタフェース部（ＩＣカードＩ／Ｆ部と略記）１１２と、リムーバブルメディアインタフェース部（リムーバブルメディアＩ／Ｆ部と略記）１１３と、制御部１１４と、ＩＣカード１１５と、リムーバブルメディアとしてのメモリカード１１６と、表示装置１１７と、スピーカ１１８と、バスライン１１９と、リモコンインタフェース部（リモコンＩ／Ｆ部と略記）１２０と、リモコン１２１と、を備えている。
【００１６】
アンテナ１０１は、ＵＨＦ用アンテナが使用され、デジタル放送信号を含むデジタル放送電波を受信する。デジタル放送信号は、１つのチャンネルの中で、複数の階層（例えば第１の階層としての弱階層、第２の階層としての強階層）を含んで階層伝送されている。弱階層と強階層とは通常、サイマル放送されている。  
チューナ部１０２は、放送局ごとの搬送周波数（放送チャンネル）を選局する選局部と、デジタル復調する復調器とを備え、ＭＰＥＧ２トランスポートストリーム（以下、ＭＰＥＧ２−ＴＳと略記）として出力する。その際、チューナ部１０２は、選局した放送チャンネルの中の１３セグ全てを受信し、１２セグのＴＳパケットと１セグのＴＳパケットを交互に配置された状態の１本のストリームデータとして出力する。そして、そのＭＰＥＧ２−ＴＳの１本のストリームデータは制御部１１４に入力され、制御部１１４では弱階層に相当する１２セグの番組のＴＳパケットと強階層に相当する１セグの番組のＴＳパケットにそれぞれの階層を識別可能な階層情報が付加され（即ち１２セグの番組と１セグの番組が分別され）、１２セグのＴＳパケットと１セグのＴＳパケットが混在した状態で１本のストリームデータとなって出力され、復号部１０３に供給される。
【００１７】
復号部１０３は、放送局で番組にかけたスクランブルを管理情報記憶部１１１からの暗号鍵を用いて解除（デスクランブル）する。  
暗号化部１０４は、番組を個々の受信装置のＨＤＤ１０５に録画する際に、受信装置ごとの個別の暗号鍵で番組を暗号化（ローカル暗号という）して記録するためのものである。これは、著作権保護を図るためであり、ＨＤＤ１０５を取り外して他の機器に取り付けて使用するなどの行為によって、記録されている番組が不正に移動し複製されるのを防止するためである。  
ＨＤＤ１０５は、受信及び復調した番組のデータを蓄積（記録）するために受信装置本体内に設けられた記録媒体であり、デスクランブルされかつローカル暗号された１２セグのＴＳパケットと１セグのＴＳパケットのストリームデータが入力され、１２セグの番組と１セグの番組がそれぞれがＨＤＤ１０５の記録媒体上で別ファイルに同時に記録される。
【００１８】
ＴＳ分離部１０６は、デスクランブルされたＭＰＥＧ２−ＴＳから映像データ、音声データ、データ放送のデータ、番組表(ＥＰＧ)情報(番組情報を含む)、制御情報を分離する。
【００１９】
ビデオデコーダ１０７は、分離された映像データをＭＰＥＧ復号する。また、オーディオデコーダ１０８は、分離された音声データをＭＰＥＧ復号する。  
映像出力部１０９は、復号された映像信号を表示信号用に変換して後段の表示装置１１７に供給する。また、音声出力部１１０は、復号された映像信号を音声出力用に変換して後段のスピーカ１１８に供給する。表示装置１１７には液晶ディスプレイなどが使用され、映像が表示され、スピーカ１１８からは音声が出力される。
【００２０】
管理情報記憶部１１１は、例えば不揮発性メモリで構成されていて録画管理情報を記憶するもので、後述するように１２セグの番組と１セグの番組を同時に録画した場合の両番組の対応付けを行う管理データ（例えばサイマル放送が行われていて１２セグと１セグの両番組が同じ番組であることを示すデータ）や、受信装置内部のＨＤＤ１０５から番組を外部の記録媒体へコピーした回数などのコピー制御に関する管理データを記憶する。
【００２１】
ＩＣカードＩ／Ｆ部１１２は、Ｂ−ＣＡＳカードのようなＩＣカード１１５をバスライン１１９に接続するためインタフェースである。  
リムーバブルメディアＩ／Ｆ部１１３は、ＳＤＴＭカードなどのリムーバブルメディアとしてのメモリカード１１６をバスライン１１９に接続するためインタフェースである。
【００２２】
リモコンＩ／Ｆ部１２０は、操作手段であるリモコン１２１からの例えば赤外線信号を受光し光電変換する受光部で構成されている。  
制御部１１４は、バスライン１１９上に接続された上述の受信装置各部を制御するものであり、例えば選局制御、選局されたチャンネル内の１２セグ番組と１セグ番組の選択制御、録画制御、サイマル放送か否かの判定、コピー回数の制限などに関する制御や、リモコン操作に基づく映像や音声の調整制御などを行う。なお、制御部１１４は時計機能も備えている。
【００２３】
さらに、制御部１１４は、チューナ部１０２にて受信したデジタル放送信号から１２セグで伝送される番組と１セグで伝送される番組を分別する機能と、デジタル放送信号から１２セグの番組のＥＰＧ情報を取得する機能と、デジタル放送信号に含まれるＥＰＧ情報を用いて、１２セグの番組と１セグの番組とで同じ番組を同じ時間帯に放送しているか否かを判定するサイマル放送判定機能と、その判定結果がサイマル放送であるとき、前記第１の番組の番組表情報を使って記録予約する際、分別された第１及び第２の番組のどちらを内部の記録媒体であるＨＤＤ１０５に記録するか、又は第１及び第２の番組の両方を記録するかを指定するための画面表示をさせる機能と、を備えている。画面表示には、表示装置１１７が用いられる。
【００２４】
１２セグのＥＰＧ情報には、現在放送中の番組の番組情報のほかに、録画予約等に利用するための当日を含め８日分の番組情報（Ｈ−ＥＩＴ）が含まれており、１セグのＥＰＧ情報には、８番組先までの番組情報（Ｌ−ＥＩＴ）が含まれている。これらの番組情報（ＥＩＴ）は、データ放送と同様にＭＰＥＧ２システムズに規定されたセクション形式で、定められた一定の時間間隔以内の周期で放送局側から送信されてくる。
【００２５】
本発明の実施形態では、固定受信向けのデジタル放送受信装置で、１２セグで伝送される番組をまず受信することを前提とし、録画に際しては、１２セグと１セグがサイマル放送であれば、１２セグの番組表（ＥＰＧ）情報を利用して、受信装置本体内のＨＤＤ１０５に、１２セグで伝送される番組の録画に加えて、１セグで伝送される番組についても録画するかどうかを指定できるようにしている。
【００２６】
なお、現在のところ、１２セグで伝送される番組と１セグで伝送される番組とは、同じ番組を同じ時間帯に放送するサイマル放送が行われている。また、ＥＰＧに関しては、前述したように１２セグによる放送では８日分の番組情報が送信され、１セグによる放送では８番組先のみの番組情報が送信されているので、１セグの番組と１２セグの番組とが同番組で同時間帯に放送されているもの（即ちサイマル放送）ならば、１２セグのＥＰＧを利用する方が１セグのＥＰＧよりもより先の番組を指定でき、更に１２セグのＥＰＧを利用する方が１２セグのＨ−ＥＩＴの方が１セグのＬ−ＥＩＴより情報量（情報の種類や項目）が多く、ＥＰＧを利用しての録画予約が非常に便利になる。ただし、１２セグのＨ−ＥＩＴも１セグのＬ−ＥＩＴも、少なくとも番組名の情報は備えている。
【００２７】
また、１２セグによる放送と１セグによる放送がサイマル放送であるか否かを判定するには、Ｈ−ＥＩＴの番組名とＬ−ＥＩＴの番組名を比較して、同じであればサイマル放送と判定することが可能である。Ｈ−ＥＩＴの番組名とＬ−ＥＩＴの番組名の比較による判定は、制御部１１４で行うことができる。
【００２８】
以下に、図２を参照して、録画ＥＰＧの例及び１セグ録画指定の例について説明する。
【００２９】
図２(a)は録画ＥＰＧの画面表示例を示し、図２(b)は１セグ録画指定の画面表示例を示している。  
録画指定するための録画ＥＰＧの表示は、１２セグのＥＰＧ情報を用いて行われる。図２(a)に示すように、横方向に放送局名、縦方向に時刻をとってあり、各放送局ごとに時間順に番組名が表示されている。太線枠はカーソル表示であり、リモコン１２１のカーソルキーを操作することによって、例えばＢ局の午前８時〜午前９時の番組Ｂ3が選択されている。この状態で、決定キーを操作すると、図２(b)に示すような録画確認のためのダイアログ（対話形式）表示が画面に現れ、放送局名、番組名、録画時刻の確認と共に、１セグ録画の指定も同時に行えるようになっている。本実施形態では、１セグ録画も行うか否かの指定を行うチェックボックスを設けて、１セグ録画の指定を行うようにしている。チェックマークの入力は、例えばリモコン１２１に設けたワンセグキーを押すことによって可能となる。
【００３０】
図２(b)のダイアログで、ＯＫボタンの位置にカーソル（太線枠）を合わせ、リモコン１２１の決定キーを押せば録画指定がなされる。キャンセルの選択及び実行は、リモコン１２１のカーソルキーでカーソルをキャンセルボタンに移動させ決定キーを押すことによって可能である。実際の録画は、予約時刻になると、１２セグ及び１セグの指定と共に受信装置本体内のＨＤＤ１０５に対して実行される。
【００３１】
なお、図２では、１２セグ録画と同時に１セグ録画を指定可能としているが、１セグのみの録画指定を行えるようにすることもソフトウェアによって可能である。従って、本発明においては、１２セグ及び１セグのどちらか一方の録画指定、又は、１２セグ及び１セグの両方の録画指定を行うことが可能である。
【００３２】
本発明の第１の実施形態によれば、１２セグのＥＰＧを用いて、１２セグで伝送される番組の録画だけでなく、１セグで伝送される番組についても録画を指定できるようにしたので、録画指定の利便性を増すことができる。  
１２セグの放送と１セグの放送は通常サイマル放送であって同番組を同時間帯に放送しているので、サイマル放送であることを判定(検出)することによって、１セグの放送を録画する場合であっても１２セグのＥＰＧを利用することができると共に、１２セグと同じ内容の１セグ録画も可能であることを画面表示などしてユーザーに知らせることも可能になる。しかも、１２セグの方が１セグに比べて指定できる番組数や番組情報の情報量が多いため、１２セグのＥＰＧを利用することによって、１セグの録画予約の利便性を増すことになる。
【００３３】
強階層である１セグ放送を録画する場合に弱階層である１２セグ放送のＥＰＧ情報を用いて録画予約等を行えるので、例えば１週間先の予約が可能であったり、また予約情報が詳細であったりする利点を有することになる。しかも、受信装置本体内の記録媒体への録画について、１２セグで伝送される番組の録画に加えて、１セグで伝送される番組についても録画するかどうかを指定できるので、コピー回数の制限緩和が実施された場合などに、装置本体内の記録媒体の記録可能な容量の増減や必要とされる画質の高低に合わせて１２セグ又は１セグの番組、或いは、両方の番組について録画指定することが可能となる。
【００３４】
［第２の実施形態］
本発明の第２の実施形態のデジタル放送受信装置の構成は図１と同様である。  
第２の実施形態において、制御部１１４は、チューナ部１０２で受信したデジタル放送信号から１２セグの番組と１セグの番組を分別する機能と、分別された１２セグ及び１セグの番組の両方を同時にＨＤＤ１０５に記録する制御を行うもので、１２セグ及び１セグの番組をそれぞれ別ファイルに記録し、かつ両方の番組を対応付ける管理情報を管理情報記憶部１１１に記録するよう制御する機能と、を少なくとも備えている。
【００３５】
制御部１１４は、第１の実施形態と同様に、デジタル放送信号から１２セグの番組のＥＰＧ情報を取得する機能と、デジタル放送信号に含まれるＥＰＧ情報を用いて、１２セグの番組と１セグの番組とで同じ番組を同じ時間帯に放送しているか否かを判定するサイマル放送判定機能と、この判定結果がサイマル放送であるとき、１２セグの番組のＥＰＧ情報を用いて少なくとも１セグの番組を記録するか否かを確認するための画面表示をさせる機能と、前述の分別した１２セグ及び１セグの番組のどちらをＨＤＤ１０５に記録するか、又は１２セグ及び１セグの番組の両方を記録するかを指定するための画面表示をさせる機能と、を備えたものであってもよい。
【００３６】
これにより、１２セグで伝送される番組と１セグで伝送される番組を、受信装置本体内のＨＤＤ１０５に同時に録画する場合、それぞれ別ファイルにして録画し、加えて両者の番組が同じ番組であることを示すように対応付ける管理データも記録する。
【００３７】
１２セグの番組と１セグの番組とを対応付ける管理データによって、録画再生や、リムーバブルメディアへのコピー、ムーブの際に、対象となる番組について、１セグと１２セグのどちらの録画か、或いは、両方の録画が行われているかをユーザーに示すこともできる。
【００３８】
本発明の第２の実施形態によれば、１２セグで伝送される番組と１セグで伝送される番組とは階層情報又はＰＩＤ（パケット識別）にて識別可能であるので、受信装置本体内の記録媒体に別々のファイルで録画することが可能となる。このように別ファイルに記録しておくと、コピー回数の制限が緩和された場合、データ量や画質の異なる１２セグ，１セグどちらの階層の番組を選択するかといったときの選択動作を容易に行わせることが可能となる。また、１２セグ，１セグの番組が同内容で同時間帯の放送であれば、その対応を管理データとして記録しておけば、録画後にさらに外部記録媒体にコピーやムーブなどする際に、１２セグの番組か１セグの番組を画質の高低や記録可能容量の多少を考慮して選択する場合に有用な情報となる。
【００３９】
［第３の実施形態］
本発明の第３の実施形態のデジタル放送受信装置の構成は図１と同様である。  
第３の実施形態において、制御部１１４は、ＨＤＤ１０５に記録した番組について、１２セグの番組及び１セグの番組のどちらをリムーバブルメディアであるメモリカード１１６にコピー又はムーブするかを指定するための画面表示をさせる機能を少なくとも備えている。さらに、制御部１１４は、第１及び第２の実施形態で述べた機能を備えたものであってもよい。
【００４０】
以下に、図３を参照して、録画番組リスト一覧の例、及び１２セグ及び１セグの録画からコピーした履歴を表示するダイアログの例について説明する。図３(a)〜(d)はいずれも画面表示した例を示している。  
図３(a)に示す録画番組リスト一覧は、固定受信向けの受信装置であるために、１２セグ番組の録画済みの番組一覧と、必要に応じて１セグ番組も同時に録画した状態を表示するものである。太線枠はカーソル表示であり、リモコン１２１のカーソルキーを操作することによって、例えばＢ局の番組Ｂ3が選択されている。なお、画面上の番組表示と並んだ「１ＳＧ」の表示は、１２セグの番組Ｂ3ほかに、１セグの番組Ｂ3も録画していることを示すアイコンである。図３(a)の状態で決定キーを操作すると、選択されている録画番組Ｂ3が再生され、表示装置１１７及びスピーカ１１８に１２セグで録画した番組Ｂ3の高精細な映像及び音声が出力される。
【００４１】
一方、図３(a)に示す状態で、クイックボタン又はサブメニューボタンを押すと、図３(b)に示すようなサブメニューが例えばプルダウン形式で画面上に追加表示される。このサブメニューには、コピー履歴、コピー、ムーブ、削除などのボタンが配置されている。リモコン１２１のカーソルキーを操作することによって、太線枠のカーソルにて「コピー履歴」を選択しリモコン１２１の決定キーを押すと、図３(c)に示すようなコピー履歴のダイアログが画面表示される。図３(c)のダイアログには、番組Ｂ3について例えば、１２セグの高画質番組があと８回コピー可能であり、１セグの番組があと４回コピー可能であることが表示される。このコピー回数の表示は、第２の実施形態で述べた、１２セグと１セグの同時録画の際にそれぞれ別ファイルに録画しておく技術を併用することによって、１２セグ及び１セグの別々のファイルから録画済み番組Ｂ3をそれぞれコピーする回数を別々にカウントする構成とすることにより、より容易に実現することができる。ここでは、１セグ録画した番組のみのコピーを行うか否かの指定を行うチェックボックスを設けて、１セグのみのコピーの指定を可能にしている。チェックマークの入力は、例えばリモコン１２１に設けたワンセグキーを押すことによって可能となる。チェックマークを入力しない状態では、１２セグ録画した番組のみのコピーを指定することになる。
【００４２】
図３(c)の残り回数の表示状態から、ユーザーは１２セグ及び１セグそれぞれのコピーが可能であることを確認し、かつ１セグ番組のコピーを選択する場合はチェックマークを入れた後、決定キーなどを押すと、図３(c)のダイアログが消えて、図３(b)のサブメニュー表示を伴った録画番組リスト一覧の表示にリターンする。ここで、リモコン１２１のカーソルキーを操作してサブメニュー表示の太線枠のカーソルを下方に移動し、「コピー」を選択し決定キーを押すと、図３(d)に示すような出力先(コピー先)の指定画面に移行する。
【００４３】
出力先としては、本デジタル放送受信装置にリムーバブルメディアメディアＩ／Ｆ部１１３を介して受信装置本体に装着して接続されるリムーバブルメディアや、本デジタル放送受信装置にネットワーク（例えばＩＥＥＥ１３９４）を介して外部接続されているＨＤＤレコーダやＤ−ＶＨＳレコーダの中からコピー先をリモコン１２１のカーソルキーで選択して決定キーを押すことによって、所望の番組を所望の階層（１２セグか１セグかの階層）で外部の記録媒体へコピーすることが可能となる。ただし、１２セグか１セグかの階層を選択できるのは、図３(a)及び(b)に示す番組Ａ1や番組Ｂ3のように予め１２セグ番組と１セグ番組が受信装置本体内の記録媒体に記録されていることが必要である。
【００４４】
さらに、受信装置本体内の記録媒体から、受信装置本体に接続可能なリムーバブルメディアを含む外部記録媒体に対してコピーした回数等のコピー制御の管理情報を、１２セグ番組及び１セグ番組それぞれにつき別ファイルで管理情報記憶部１１１に記憶するようにして、回数管理を行う。  
これにより、コピーした回数等のコピー制御の管理データは、デジタル放送受信装置本体内に１２セグと１セグにつき別ファイルで、それぞれ管理されるので、コピー回数の制限緩和が実施された際に１２セグと１セグにつきコピー回数の管理が容易に行えるようになる。
【００４５】
本発明の第３の実施形態によれば、受信装置本体内の記録媒体に録画した録画番組について、１２セグの番組か１セグの番組かのどちらか一方を指定して、その番組をリムーバブルメディアにコピーしたり、移動したりすることができる。  
１２セグ及び１セグとも同じ番組が受信装置本体内に録画されている場合は、コピー先として選択されたリムーバブルメディアの記録可能容量が十分な容量があれば情報量が多く高画質な１２セグ番組を指定してコピー又はムーブを行い、記録可能容量が少なければ、情報量の少ない１セグ番組を指定してコピー又はムーブを行うことができる。しかも、コピー回数の管理を１２セグと１セグについて分けて管理することで、コピー回数が制限回数内か否かを１２セグ，１セグ別にカウントしユーザーに対して表示することも可能となる。
【００４６】
尚、以上述べた本発明の実施形態の図１の構成では、チューナ部１０２で構成される受信手段及び制御部１１４内に構成される分別手段に代えて、チューナ部１０２内に、階層伝送される複数の階層を含むデジタル放送信号から弱階層で伝送される１２セグの番組を受信する第１のチューナ部と、当該デジタル放送信号から強階層で伝送される１セグの番組を受信する第２のチューナ部とを構成し、第１，第２のチューナ部それぞれから１２セグ出力と１セグ出力を別々に出力することによって、１２セグ番組と１セグ番組とを分別して出力するようにしてもよい。
【産業上の利用可能性】
【００４７】
以上述べた実施形態では、固定受信向けのデジタル放送受信装置について説明したが、本発明は、携帯・移動受信向けのデジタル放送受信装置に適用可能である。
【符号の説明】
【００４８】
１００…デジタル放送受信装置、１０２…チューナ部(受信手段)、１０５…ＨＤＤ(記録媒体を含む)、１１１…管理情報記憶部(記憶手段)、１１３…リムーバブルメディアＩ／Ｆ部(インタフェース手段)、１１４…制御部(分別手段、番組表取得手段、サイマル放送判定手段、画面表示させる手段を含む)、１１７…表示装置(表示手段)。
【図１】
0005404864.tif 000002
【図２】
0005404864.tif 000003
【図３】
0005404864.tif 000004